(57)【要約】【課題】タッチパネル上に表示されるタッチボタンを押下することなく操作パネルを操作する。【解決手段】タッチパネル３０を含む操作パネル２０であって、タッチパネル３０上に形成されているタッチボタン３１〜３６の機能を、タッチパネル３０の画面を押下する回数によって実現する。タッチパネル３０への押下は、タッチパネル３０の任意の箇所で行われ、タッチパネルへの前回押下とタッチパネルへの今回押下との時間間隔が、所定時間内であれば連続して押下された押下回数として計数する。【選択図】      図４
2006209499.tif 000002
【特許請求の範囲】
【請求項１】
タッチパネルを含む操作パネルであって、
前記タッチパネルへの押下を検出する検出手段と、
前記検出手段によって検出された押下の回数を押下回数として計数する計数手段と、
前記押下回数に基づいて所定の機能を設定する制御手段とを含むことを特徴とする操作パネル。
【請求項２】
前記検出手段が、
前記タッチパネルの任意の箇所における前記押下を検出することを特徴とする請求項１に記載の操作ネル。
【請求項３】
前記計数手段が、
前記タッチパネルへの前回押下と前記タッチパネルへの今回押下との時間間隔が、所定時間内であれば前記押下回数として計数することを特徴とする請求項１または２に記載の操作パネル。
【請求項４】
前記制御手段が、
前記押下回数によってパラメータモードを設定し、
設定された前記パラメータモードに対応するパラメータを前記押下回数に基づいて設定することを特徴とする請求項１乃至３のいずれか１つに記載の操作パネル。
【請求項５】
請求項１乃至４のいずれか１つに記載の操作パネルを備えることを特徴とする操作パネル付き装置。
【請求項６】
タッチパネルを含む操作パネルの操作方法であって、
前記タッチパネルへの押下を検出し、
検出した前記押下の回数を押下回数として計数し、
前記押下回数によって所定の機能を設定することを特徴とする操作パネルの操作方法。
【請求項７】
前記タッチパネルへの押下の検出が、
前記タッチパネルの任意の箇所における前記押下を検出することを特徴とする請求項６に記載の操作ネルの操作方法。
【請求項８】
前記タッチパネルへの押下の計数において、
前記タッチパネルへの前回押下と前記タッチパネルへの今回押下との時間間隔が、所定時間以であれば、前記押下回数として計数することを特徴とする請求項６または７に記載の操作パネルの操作方法。
【請求項９】
前記所定の機能の設定が、
前記押下回数に基づくパラメータモードの設定と、
前記パラメータモードに対応し前記押下回数に基づくパラメータの設定であることを特徴とする請求項６乃至８のいずれか１つに記載の操作パネルの操作方法。
【請求項１０】
タッチパネルとキースイッチとを含む操作パネルの操作方法であって、
前記キースイッチからの信号を検出してキースイッチ検出信号を生成するステップと、
前記タッチパネルからの信号を検出してタッチパネル検出信号を生成するステップと、
前記キースイッチ検出信号、または、前記タッチパネル検出信号から入力情報信号を生成するステップと、
前記キースイッチ検出信号に基づいて前記操作パネルの入力操作モードを切り替えるステップと、
前記タッチパネル検出信号に基づいて、所定の機能を設定するステップと
を備えることを特徴とする操作パネルの操作方法。
【請求項１１】
タッチパネルとキースイッチとを含む操作パネルのコンピュータに、
前記キースイッチからの信号を検出してキースイッチ検出信号を生成する機能、
前記タッチパネルからの信号を検出してタッチパネル検出信号を生成する機能、
前記キースイッチ検出信号または、前記タッチパネル検出信号から入力情報信号を生成する機能、
前記キースイッチ検出信号による前記入力情報信号に基づいて、前記操作パネルの入力操作モードを切り替える機能、
前記タッチパネル検出信号による前記入力情報信号に基づいて、前記タッチパネルへの押下回数を計数し、所定の機能を設定する機能、
を実行させることを特徴とするプログラム。
【請求項１２】
前記タッチパネルへの押下が、
前記タッチパネルの任意の箇所で行われることを特徴とする請求項１１に記載のプログラム。
【請求項１３】
前記タッチパネルへの前回押下と前記タッチパネルへの今回押下との時間間隔が、
所定時間内であれば前記押下回数として計数することを特徴とする請求項１１または１２に記載のプログラム。
【請求項１４】
前記所定の機能の設定が、
前記タッチパネル上に形成されているタッチボタンによって表示されるパラメータモードの設定と、
前記パラメータモードに対応するパラメータの設定とであることを特徴とする請求項１１乃至１３のいずれか１つに記載のプログラム。
【発明の詳細な説明】
【技術分野】
【０００１】
本発明は、操作パネル、操作パネル付き装置、操作パネルの操作方法およびプログラムに関し、特に、タッチパネルを備えた操作パネル、操作パネル付き装置、操作パネルの操作方法およびプログラムに関する。
【背景技術】
【０００２】
近年、複合機等のＯＡ機器に対しては、障害者の方々でも使いやすいユーザインターフェースが求められおり、特に弱視者の方や全盲者の方にとって、使いやすいユーザインターフェースが求められている。ここで、複合機とは、ディジタル複写機とファクシミリ、プリンタ、スキャナなどの機能を併有するディジタル複合機などを指す。
【０００３】
従来の技術では、弱視者・全盲者の指先の触感を頼りに、キーボタン(メカ・ボタン)の形状、キーボタンの配置を工夫することによって、入力操作を可能とさせている。
【０００４】
しかし、近年の複合機等のＯＡ機器が持つ多様な機能を操作して実現させるためには、タッチパネル画面上のタッチボタンへの入力操作が必要となってきている（特許文献１参照）。凹凸の無いフラットなタッチパネルの画面上に形成されているタッチボタンへの入力操作は、キーボタンのように触感に頼って、目的のタッチボタンを押下することはできない。
【０００５】
その代替手段としては、パソコンと連動させた音声ガイドによるキーボードからの入力操作、または、音声認識まで行い、音声応答による入力操作もある。しかし、一般的に音声ガイドシステムを構築するためには高価である。音声ガイドを利用したユーザインターフェースは、一つの操作を行うにあたり、一々音声ガイドを聞きながら操作しなければならないため、時間がかかるという問題がある。また、音声ガイドのアナウンスは冗長的になり易いため、時間がかかるという問題に拍車をかける状況となっている。
【０００６】
【特許文献１】特開２０００-５６８７７号公報（段落００２２、図４〜図６）
【発明の開示】
【発明が解決しようとする課題】
【０００７】
弱視者・全盲者の方が、操作パネルを操作する手段として、キーボタン（メカ・ボタン）がある。一般的に、「５」キーボタンに凸状のポッチが付いているテンキーのように、その「５」キーボタンを基に他の数字、または、テンキー周辺のキーボタンを位置関係から判断して、キーボタン入力が行なわれている。また、スタートキーのような特別なキーは、他のキーボタンよりも形状を大きくしたり、または、キーボタン自体の形状を特殊な形状にして、その形状から判断して、キーボタン入力を行なうことを可能とさせている。
【０００８】
しかし、タッチパネル画面上に形成されたタッチボタンでは凹凸が無いため、キーボタンのような判断ができず、目的としたタッチボタンを押下することができないという課題があった。
【０００９】
また、近年の複合機では、コピーの仕上り機能等は多様化しており、様々な仕上がり指定の設定が可能な機器がある。この多様な機能を設定するために、タッチボタンが使用され、設定画面が階層的に切り替わるようになっている。このタッチボタンを押下して操作を行なう方法が一般となっている。この操作を実現するために、タッチパネル上で表示される設定画面に対し、多数に渡る設定画面を順次操作しなければならないため、キーボタンで実現できる単純なキーボタン仕上りしか利用できないという課題があった。
【００１０】
本発明は、上記の課題を解決するための操作パネル、操作パネル付き装置、操作パネルの操作方法およびプログラムを提供するものである。
【課題を解決するための手段】
【００１１】
本発明による操作パネルは、タッチパネルを含む操作パネルであって、前記タッチパネルへの押下を検出する検出手段と、前記検出手段によって検出された押下の回数を押下回数として計数する計数手段と、前記押下回数に基づいて所定の機能を設定する制御手段とを含むことを特徴とする。
【００１２】
本発明による操作パネルは、前記検出手段が、前記タッチパネルの任意の箇所における前記押下を検出することを特徴とする。
【００１３】
本発明による操作パネルは、前記計数手段が、前記タッチパネルへの前回押下と前記タッチパネルへの今回押下との時間間隔が、所定時間内であれば前記押下回数として計数することを特徴とする。
【００１４】
本発明による操作パネルは、前記制御手段が、前記押下回数によってパラメータモードを設定し、設定された前記パラメータモードに対応するパラメータを前記押下回数に基づいて設定することを特徴とする。
【００１５】
本発明による操作パネル付き装置は、請求項１から４に記載の操作パネルを備えることを特徴とする。
【００１６】
本発明による操作パネルの操作方法は、タッチパネルを含む操作パネルの操作方法であって、前記タッチパネルへの押下を検出し、検出した前記押下の回数を押下回数として計数し、前記押下回数によって所定の機能を設定することを特徴とする。
【００１７】
本発明による操作パネルの操作方法は、前記タッチパネルへの押下の検出が、前記タッチパネルの任意の箇所における前記押下を検出することを特徴とする。
【００１８】
本発明による操作パネルの操作方法は、前記タッチパネルへの押下の計数において、前記タッチパネルへの前回押下と前記タッチパネルへの今回押下との時間間隔が、所定時間以であれば、前記押下回数として計数することを特徴とする。
【００１９】
本発明による操作パネルの操作方法は、前記所定の機能の設定が、前記押下回数に基づくパラメータモードの設定と、前記パラメータモードに対応し前記押下回数に基づくパラメータの設定であることを特徴とする。
【００２０】
本発明による操作パネルの操作方法は、タッチパネルとキースイッチとを含む操作パネルの操作方法であって、前記キースイッチからの信号を検出してキースイッチ検出信号を生成するステップと、前記タッチパネルからの信号を検出してタッチパネル検出信号を生成するステップと、前記キースイッチ検出信号、または、前記タッチパネル検出信号から入力情報信号を生成するステップと、前記キースイッチ検出信号に基づいて前記操作パネルの入力操作モードを切り替えるステップと、前記タッチパネル検出信号に基づいて、所定の機能を設定するステップとを備えることを特徴とする。
【００２１】
本発明によるプログラムは、タッチパネルとキースイッチとを含む操作パネルのコンピュータに、前記キースイッチからの信号を検出してキースイッチ検出信号を生成する機能、前記タッチパネルからの信号を検出してタッチパネル検出信号を生成する機能、前記キースイッチ検出信号または、前記タッチパネル検出信号から入力情報信号を生成する機能、前記キースイッチ検出信号による前記入力情報信号に基づいて、前記操作パネルの入力操作モードを切り替える機能、前記タッチパネル検出信号による前記入力情報信号に基づいて、前記タッチパネルへの押下回数を計数し、所定の機能を設定する機能、を実行させることを特徴とする。
【００２２】
本発明によるプログラムは、前記タッチパネルへの押下が、前記タッチパネルの任意の箇所で行われることを特徴とする。
【００２３】
本発明によるプログラムは、前記タッチパネルへの前回押下と前記タッチパネルへの今回押下との時間間隔が、所定時間内であれば前記押下回数として計数することを特徴とする。
【００２４】
本発明によるプログラムは、前記所定の機能の設定が、前記タッチパネル上に形成されているタッチボタンによって表示されるパラメータモードの設定と、前記パラメータモードに対応するパラメータの設定とであることを特徴とする。
【発明の効果】
【００２５】
第１の効果は、タッチパネルへの押下回数だけで、タッチボタンと等価な機能を実現できることである。つまり、従来ではタッチパネルでの押下操作が有効に利用できなかったが、押下回数を機能ボタンに関連付けることによって、押下操作が有効に利用できるようになるためである。
【００２６】
第２の効果は、弱視者・全盲者の方が、タッチパネルを有効に使用できるため、設定操作の幅が広がり、多様な設定ができることである。つまり、タッチパネルにおける押下操作をタッチパネルの画面上に形成された機能ボタンのエリアを押下するだけではなく、押下回数に関連付けて動作制御を行なうからである。
【発明を実施するための最良の形態】
【００２７】
本発明は、複合機の操作パネルにおいて、複数の機能ボタンとして割り当てることができるＬＣＤなどを用いたタッチパネルの画面上のタッチボタンに対するものである。タッチパネルの画面上のどこを押下しても一つのタッチボタンとして認識し、押下した回数（押下回数）のみに意味を持たせるものある。ここで、押下は、指又は器具（筆記具状の器具、一部に凸部を備える器具）などによるタッチパネルへの接触（タッチ）を含む。
【００２８】
第１の実施形態：次に、本発明を実施するための最良の形態について図面を参照して詳細に説明する。図１は、第１の実施形態における複合機の操作パネル、図２は、タッチパネルに形成されたタッチボタンである。
【００２９】
図１を参照すると、複合機１０（操作パネル付き装置）は、操作パネル２０を含んで構成される。操作パネル２０は、ＬＣＤ（Ｌｉｑｕｉｄ  Ｃｒｙｓｔａｌ  Ｄｉｓｐｌｙ、液晶ディスプレイ）又はＣＲＴディスプレイ上に形成されているタッチパネル３０及びキースイッチ４０を備える。キースイッチ４０は、「操作切替」キースイッチ４１、「スタート」キースイッチ４２、「５」キースイッチ４３などを含むキースイッチを備える。
【００３０】
「操作切替」キースイッチ４１は、通常の入力操作（通常入力操作）と、タッチパネル３０の画面上の連続した押下回数による特殊な入力操作（特殊入力操作）との入力操作モードを切り替える。つまり、「通常入力操作モード」と「特殊入力操作モード」との切替は、「操作切替」キースイッチ４１を操作することによって行われる。
【００３１】
「操作切替」キースイッチ４１を押下した場合、「特殊入力操作モード」になる。「特殊入力操作モード」になると、タッチボタン３１〜３６を押下しても、その押下箇所がタッチボタンの有効検出エリア範囲であっても、該当のタッチボタンに対する入力操作と見なされない。また、タッチボタン３１〜３６の無効エリア範囲であっても、無効な入力操作として見なされず、押下回数として計数される。
【００３２】
「スタート」キースイッチ４２は、例えば、計数用入力信号の入力終了として割り当てられたキースイッチである。「スタート」キースイッチ４２以外のキースイッチ４０のうちの任意の一つを、計数用入力信号の入力終了として割り当てても良い。この「スタート」キースイッチ４２が押下されるまで、タッチパネル３０への押下回数が計数される。「スタート」キースイッチ４２は、連続して２回押下された場合に、本来の「スタート」キースイッチ４２が押下されたものと解釈される。従って、入力情報信号Ｓ３は、本来の「スタート」キースイッチ４２が押下されたものと解釈され、操作パネル２０の制御が行なわれる。
【００３３】
図２を参照すると、タッチボタン３１〜３６（機能ボタン）を押下することによって、タッチボタン上に表示されている機能が実行される。例えば、タッチボタン３１、３４、３５を押下すれば、片面の原稿を、原寸で両面コピーする機能が実行される。
【００３４】
図３は、第１の実施形態において、押下回数と機能ボタンとを関連付けた一例である。例えば、連続した押下回数が３回の場合、原稿は片面原稿で、印刷仕上りは両面コピーで、印刷サイズは原寸コピーである機能ボタンと等価になる。つまり、図２におけるタッチボタン３１、３４、３５を押下したことと等価な機能を実現できる。これらの押下回数は、解釈機能部１４ｂを含むメイン制御部１４によって解釈され、機能ボタンに関連付けられた機能が設定される。
【００３５】
ここで、押下の連続性から押下回数と判定するために、操作者によるタッチパネル３０への押下と押下との時間間隔に関して説明する。前回の押下（前回押下）と今回の押下（今回押下）との時間間隔（押下時間間隔）Ｔを、所定の時間間隔（所定時間間隔）Ｔｓと関連させることによって、連続する押下であることを認識させる。つまり、Ｔ≦Ｔｓであれば、前回の押下と今回の押下は連続する押下と認識され、押下回数として計数される。Ｔ＞Ｔｓであれば、連続する押下として認識せず、押下回数として計数されない。所定時間間隔Ｔｓは、任意に設定することが可能である。この動作は、メイン制御部１４のＲＯＭ及びＲＡＭを含むメモリ部１４ｄに格納されたソフトウェアプログラムで実行する。
【００３６】
図４は、第１の実施形態における操作パネルの構成を示すブロック図である。操作パネル２０は、タッチパネル３０、「操作切替」キースイッチ４１、「スタート」キースイッチ４２などを含むキースイッチ４０を含む。さらに、キースイッチ入力検出部１１、タッチボタン入力検出部１２、入力情報信号生成部１３、メイン制御部１４、状態記憶機能部１４ａ、解釈機能部１４ｂ、計数機能部１４ｃ、メモリ部１４ｄを含む。
【００３７】
キースイッチ入力検出部１１は、任意のキースイッチ４０が押下されると、どの箇所のキースイッチ４０の押下があったのかを検出し、キースイッチ検出信号Ｓ１を生成する。キースイッチ入力検出部１１は、ＣＰＵ（コンピュータ）を含んで構成される。
【００３８】
タッチボタン入力検出部１２は、タッチボタン３１〜３６のうち任意のタッチボタンが押下されると、どの箇所のタッチボタン押下があったのかを検出し（検出手段）、タッチボタン検出信号Ｓ２（タッチパネル検出信号としてもよい）を生成する。
【００３９】
さらに、タッチボタン入力検出部１２は、タッチパネル３０の任意の箇所において、タッチパネル３０への押下があったのかを検出し（検出手段）、タッチボタン検出信号Ｓ２（タッチパネル検出信号としてもよい）を生成する。タッチボタン入力検出部１２は、ＣＰＵ（コンピュータ）を含んで構成される。
【００４０】
入力情報信号生成部１３は、キースイッチ検出信号Ｓ１、または、タッチボタン検出信号Ｓ２によって、キースイッチ入力検出部１１、または、タッチボタン入力検出部１２からの入力検出箇所に対応した入力情報信号Ｓ３を生成する。入力情報信号生成部１３は、ＣＰＵ（コンピュータ）を含んで構成される。
【００４１】
メイン制御部１４（制御手段）は、操作パネル２０を制御するＣＰＵを備え、状態記憶機能部１４ａ、解釈機能部１４ｂ、計数機能部１４ｃ、メモリ部１４ｄを含む。メイン制御部１４は、入力情報信号Ｓ３を基に、操作パネル２０の動作制御を行う。メイン制御部１４は、ＣＰＵ（コンピュータ）を含んで構成される。
【００４２】
状態記憶機能部１４ａは、「操作切替」キースイッチ４１による入力情報信号Ｓ３によって「通常入力操作モード」／「特殊入力操作モード」のどちらの状態に切り替わったかを記憶する。
【００４３】
解釈機能部１４ｂ（解釈手段）は、状態記憶機能部１４ａが記憶している状態によって、入力情報信号Ｓ３の情報を解釈するもので、ＣＰＵ（コンピュータ）を含んで構成される。
【００４４】
計数機能部１４ｃ（計数手段）は、状態記憶機能部１４ａが「特殊入力操作モード」状態と記憶している場合、タッチボタン入力検出部１２からの入力情報信号Ｓ３を計数するもので、ＣＰＵ（コンピュータ）を含んで構成される。
【００４５】
メモリ部１４ｄは、ＲＯＭ及びＲＡＭを含み、操作パネル２０を制御するソフトウェアプログラムを格納する。
【００４６】
図５は、第１の実施形態における入力情報信号Ｓ３に対する解釈機能部１４ｂを含むメイン制御部１４の「通常入力操作モード」／「特殊入力操作モード」に関する動作フローチャートである。入力情報信号Ｓ３がキースイッチ４０の押下によるものか、タッチパネル３０の押下によるものかによって生成されており、どちらであるかを判別する（Ｓ１０１）。キースイッチ４０の押下であれば、次に、状態記憶機能部１４ａが記憶している入力操作モードを判別する（Ｓ１０２）。通常入力操作モードであると記憶していれば、解釈機能部１４ｂは、入力情報信号Ｓ３を、通常のキースイッチ４０の押下による入力信号として解釈する（Ｓ１０３）。特殊入力操作モードであると記憶していれば、解釈機能部１４ｂは、入力情報信号Ｓ３を、計数用の入力信号または通常のキースイッチ４０を押下した入力信号として解釈する（Ｓ１０４）。
【００４７】
ステップＳ１０１において、タッチパネル３０の押下であれば、次に、状態記憶機能部１４ａが記憶している入力操作モードを判別する（Ｓ１０５）。通常入力操作モードであると記憶していれば、解釈機能部１４ｂは、入力情報信号Ｓ３を、本来のタッチパネル３０（つまり、タッチパネル上のタッチボタン）を押下した入力信号として解釈する（Ｓ１０６）。特殊入力操作モードであると記憶していれば、解釈機能部１４ｂは、入力情報信号Ｓ３を、押下回数に関する計数用の入力信号として解釈する（Ｓ１０７）。
【００４８】
なお、上記の図５の説明におけるキースイッチ４０では、「操作切替」キースイッチ４１およびスタートキースイッチ４２を除くものとする。
【００４９】
次に、本発明を実施するための最良の形態の動作について図１〜図５を参照して説明する。
【００５０】
（通常入力操作モードから特殊入力操作モードへの切り替え）先ず、操作パネル２０の入力操作モードが「通常入力操作モード」である状態にて、操作者が「特殊入力操作モード」に切り替える場合の動作について説明する。
【００５１】
操作者は、「特殊入力操作モード」に切り替えるため、「操作切替」キースイッチ４１を押下する。「操作切替」キースイッチ４１が押下されると、キースイッチ入力検出部１１が「操作切替」キースイッチ４１が押下されたことを検出する。そして、「操作切替」キースイッチ４１の検出を表すキースイッチ検出信号Ｓ１を生成し、入力情報信号生成部１３に送出する。
【００５２】
入力情報信号生成部１３は、キースイッチ検出信号Ｓ１を受け取ると、「操作切替」キースイッチ４１に対応した入力情報信号Ｓ３（つまり、「操作切替」キースイッチ４１が押下されたこと）を生成し、メイン制御部１４へ送出する。
【００５３】
この時、メイン制御部１４では、「通常入力操作モード」になっている。メイン制御部１４は、「操作切替」キースイッチ４１押下による入力情報信号Ｓ３を受け取ると、「通常入力操作モード」から「特殊入力操作モード」の状態に切り替わったことを、状態記憶機能部１４ａで記憶する。
【００５４】
メイン制御部１４がこれ以降に受け取る入力情報信号Ｓ３に対し、タッチパネル３０の押下による入力情報信号Ｓ３ならば、メイン制御部１４では、計数用の入力信号（計数用入力信号）として解釈（Ｓ１０７）する。計数用の入力信号の入力終了として割り当てられた「スタート」キースイッチ４２が押下されるまで計数し、図３のように関連付けられた機能ボタンとして、操作パネル２０の制御を行う。
【００５５】
メイン制御部１４がこれ以降に受け取る入力情報信号Ｓ３に対し、キースイッチ４０を押下した入力情報信号Ｓ３ならば、通常のキースイッチ４０の押下による入力信号として解釈（Ｓ１０４）して、操作パネル２０の制御を行う。
【００５６】
（特殊入力操作モードから通常入力操作モードへの切り替え）次に、操作パネル２０への入力操作モードが「特殊入力操作モード」である状態にて、操作者が「通常入力操作モード」に切り替える場合の動作について説明する。
【００５７】
「特殊入力操作モード」において「操作切替」キースイッチ４１が押下されたことによる入力情報信号Ｓ３を、メイン制御部１４にて受け取ると、「通常入力操作モード」の状態に切り替わったことを、状態記憶機能部１４ａで記憶する。メイン制御部１４がこれ以降に受け取る、タッチボタン３１〜３６が押下されたことによる入力情報信号Ｓ３ならば、本来のタッチボタン３１〜３６による入力信号として解釈機能部１４ｂで解釈（Ｓ１０６）する。キースイッチ４０が押下されたことによる入力情報信号Ｓ３ならば、通常のキースイッチ４０が押下された入力信号として解釈（Ｓ１０３）して、操作パネル２０の制御を行う。
【００５８】
以上、説明した動作は、メイン制御部１４、ＲＯＭ及びＲＡＭを含むメモリ部１４ｄに格納されたソフトウェアプログラムで実行される。
【００５９】
この第１の実施形態によれば、タッチパネル３０への押下回数だけで、タッチボタン３１〜３６と等価な機能を実現できるという効果がある。
【００６０】
第２の実施形態：第２の実施形態は、「特殊入力操作モード」状態で、複数のパラメータモードが有るような場合の操作パネルに関するものである。
【００６１】
第１の実施形態においては、原稿の指定に関するパラメータモード（原稿指定パラメータモード）と、印刷の形態に関するパラメータモード（印刷形態パラメータモード）との組み合わせで、押下回数によって機能ボタンとの関連付けを行なっていた。印刷の仕上がりに関係するパラメータモードを考えれば、印刷形態パラメータモード以外に、濃度に関するパラメータモード（濃度指定パラメータモード）も存在する。このように複数のパラメータモードが有る場合、各パラメータモードのパラメータの数の掛け合わせだけ、押下回数による機能ボタンとの関連付けが必要となる。従って、連続して何回もタッチパネル３０の面上を押下しなければならないケースが発生する。なお、これらのパラメータモードおよびパラメータは、タッチパネル３０上に形成されているタッチボタン３１〜３６によって表示される。
【００６２】
図６は、第２の実施形態において、第２の実施形態において、押下回数と機能ボタンとを関連付けた一例である。例えば、パラメータモード設定では、押下回数が２回の場合、「原稿指定」となる。また、パラメータ設定では、押下回数が２回の場合、「片面」または「片面、原寸コピー」となる。これらの押下回数は、解釈機能部１４ｂを含むメイン制御部１４によって解釈され、機能ボタンに関連付けられた機能が設定される。
【００６３】
図７は、第２の実施形態における操作パネルの構成を示すブロック図である。第１の実施形態である図４のメイン制御部１４において、状態記憶機能部１４ａ、解釈機能部１４ｂ、計数機能部１４ｃ、メモリ部１４ｄを備える。さらに、パラメータ記憶機能部１４ｅを備える。パラメータ記憶機能部１４ｅは、各パラメータモード及びその設定パラメータを記憶する。例えば、原稿指定パラメータモードの片面パラメータのように記憶する（図６参照）。
【００６４】
図８は、第２の実施形態における入力情報信号Ｓ３に対する解釈機能部１４ｂを含むメイン制御部１４の押下回数／パラメータモード設定／パラメータ設定に関する動作フローチャートである。なお、押下の連続性を判定して押下回数として計数するための、操作者によるタッチパネル３０への押下と押下との時間間隔の説明は、第１の実施形態と同一である。
【００６５】
「押下回数＝１」または「押下回数≠１」か（Ｓ２０１）、パラメータモード設定またはパラメータ設定か（Ｓ２０２、Ｓ２０５）に基づいて、解釈機能部１４ｂは、入力情報信号Ｓ３を解釈する。
【００６６】
「押下回数＝１」で且つ、パラメータモード設定であれば、解釈機能部１４ｂは、入力情報信号Ｓ３を無効な入力として解釈する（Ｓ２０３）。これは、図６の［１］に対応する。
【００６７】
「押下回数＝１」で且つ、パラメータ設定であれば、解釈機能部１４ｂは、入力情報信号Ｓ３を有効な入力として解釈し、パラメータ記憶機能部１４ｅは、設定パラメータを記憶する（Ｓ２０４）。これは、図６の［２］または［３］に対応する。この時点で、設定パラメータを記憶して、パラメータモード設定状態になる（パラメータモード設定状態に戻る）。
【００６８】
「押下回数≠１」で且つ、パラメータモード設定であれば、パラメータモード設定の範囲（予め決められている押下回数）内なら、解釈機能部１４ｂは、入力情報信号Ｓ３をパラメータモード設定として解釈する。範囲（予め決められている押下回数）外では、解釈機能部１４ｂは、無効な入力信号として解釈する（Ｓ２０６）。これは、図６の［４］に対応する。この時点で、パラメータモードが設定される。
【００６９】
「押下回数≠１」で且つ、パラメータ設定であれば、パラメータ設定の範囲（予め決められている押下回数）内なら、解釈機能部１４ｂは、入力情報信号Ｓ３をパラメータ設定として解釈する。範囲（予め決められている押下回数）外では、解釈機能部１４ｂは、入力情報信号Ｓ３を無効な入力信号として解釈する（Ｓ２０７）。これは、図６の［５］または［６］に対応する。この時点で、パラメータが設定される。なお、再度、「押下回数＝１」の押下をすることによってパラメータが設定される。
【００７０】
次に、本発明の第２の実施形態を実施するための最良の形態の動作について図９を参照して説明する。動作の流れは、基本的には、第１の実施形態と同じである。
【００７１】
変形部分は、「特殊入力操作モード」状態になっている場合、図６に示すようにパラメータモード設定に対しては、「押下回数＝１」を無効な入力として、入力情報信号Ｓ３を解釈する。また、パラメータ設定に対しては、図６に示すように「押下回数＝１」を有効な入力として、入力情報信号Ｓ３を解釈する。なお、「特殊入力操作モード」状態になると、デフォルト設定として、パラメータモードが設定される状態になる。また、これらの解釈及び設定する機能は、解釈機能部１４ｂを含むメイン制御部１４によって行なわれる。
【００７２】
まず、「操作切替」キースイッチ４１で、「特殊入力操作モード」に切り替えられる（Ｓ３０１）と、デフォルト設定として、パラメータモードが設定される状態になる（Ｓ３０２）。次に、「押下回数≠１」が入力されると、この押下回数に対応するパラメータモードが設定される。さらに、設定されたこのパラメータモードに対応するパラメータが設定される状態になる（Ｓ３０３）。次いで、「押下回数≠１」が入力されると、この押下回数に対応するパラメータ（例えば、パラメータＡとする）が設定候補となる（Ｓ３０４）。次いで、「押下回数≠１」が入力されると、別のパラメータ（例えば、パラメータＢとする）が設定候補となる（Ｓ３０５）。ステップ３０５は、ステップＳ３０４を修正するためのステップである。次いで、「押下回数＝１」が入力されると、ステップＳ３０５で設定候補となった別のパラメータ（パラメータＢ）が設定保存される。さらに、パラメータモードが設定される状態（Ｓ３０３）に戻る。なお、全てのパラメータモード及び全てのパラメータが設定済みであれば、終了となる（Ｓ３０６）。
【００７３】
なお、各パラメータモードに対応するパラメータをデフォルト設定するようにしてもよい。また、ステップＳ３０１〜Ｓ３０６で設定したパラメータモード及びパラメータを保存し、適宜、呼出して使用するようにしてもよい。
【００７４】
以上、説明した動作は、メイン制御部１４、ＲＯＭ及びＲＡＭを含むメモリ部１４ｄに格納されたソフトウェアプログラムなどで実行される。
【００７５】
この第２の実施形態によれば、タッチパネル３０が押下されるだけで、パラメータモードが設定され、さらに、パラメータが設定されるという効果がある。
【図面の簡単な説明】
【００７６】
【図１】第１の実施形態における複合機の操作パネルである。
【図２】第１の実施形態におけるタッチパネルに形成されたタッチボタンである。
【図３】第１の実施形態において、押下回数と機能ボタンとを関連付けた一例である。
【図４】第１の実施形態における操作パネルの構成を示すブロック図である。
【図５】第１の実施形態における入力情報信号Ｓ３に対する解釈機能部１４ｂの「通常入力操作モード」／「特殊入力操作モード」に関する動作フローチャートである。
【図６】第２の実施形態において、押下回数と機能ボタンとを関連付けた一例である。
【図７】第２の実施形態における操作パネルの構成を示すブロック図である。
【図８】第２の実施形態における入力情報信号Ｓ３に対する解釈機能部１４ｂの押下回数／パラメータモード設定／パラメータ設定に関する動作フローチャートである。
【図９】第２の実施形態におけるパラメータモード設定／パラメータ設定に関するフローチャートである。
【符号の説明】
【００７７】
１０    複合機
１１    キースイッチ入力検出部
１２    タッチボタン入力検出部
１３    入力情報信号生成部
１４    メイン制御部
１４ａ    状態記憶機能部
１４ｂ    解釈機能部
１４ｃ    計数機能部
１４ｄ    メモリ部
１４ｅ    パラメータ記憶機能部
２０    操作パネル
３０    タッチパネル
３１〜３６    タッチボタン
４０    キースイッチ
４１    「操作切替」キースイッチ
４２    「スタート」キースイッチ
４３    「５」キースイッチ
【図１】
2006209499.tif 000003
【図２】
2006209499.tif 000004
【図３】
2006209499.tif 000005
【図４】
2006209499.tif 000006
【図５】
2006209499.tif 000007
【図６】
2006209499.tif 000008
【図７】
2006209499.tif 000009
【図８】
2006209499.tif 000010
【図９】
2006209499.tif 000011